(57)【要約】 【課題】  １回の簡単な操作により、全ての端末装置に電話帳データの登録、変更、削除などを行うことが可能なコードレス電話機を提供する。【解決手段】  コードレス電話機は、例えば１台の親機と、１台又は複数の子機を含む複数の端末装置を備える。各端末装置は、電話帳データを記憶する記憶部を備える。また、ユーザが電話帳データに対する作業入力、例えば電話帳データの登録、編集、削除などを行うと、これを検出し、その作業入力に対応する処理を当該端末装置の記憶部に記憶されている電話帳データ対して実行する。これに加えて、各端末装置は、作業入力に対応する処理の内容を示す処理データを他の全ての端末装置へ送信する。他の端末装置から処理データを受信した端末装置は、その処理データに基づいて、送信元の端末装置内の電話帳データに対して行われた処理と同一の処理を実行する。これにより、受信側の端末装置の電話帳データは、ユーザが作業入力を行った端末装置の電話帳データと同一の状態となる。即ち、電話帳データの同期が確保される。【選択図】      図６
2005303502.tif 000002
【特許請求の範囲】
【請求項１】
親機および子機を含む複数の端末装置を備えるコードレス電話機であって、前記複数の端末装置の各々は、
電話帳データを記憶する記憶部と、
ユーザにより電話帳データに対する作業入力が行われたことを検出する検出手段と、
前記作業入力に応じて、前記記憶部に記憶されている電話帳データの処理を実行する第１の処理実行手段と、
前記電話帳データの処理の内容を示す処理データを、他の全ての端末装置へ送信する送信手段と、
他の端末装置から前記処理データを受信する受信手段と、
前記記憶部に記憶されている電話帳データに対して、前記処理データに基づいて、前記処理データの送信元の端末装置において行われた前記電話帳データの処理と同一の処理を実行する第２の処理実行手段と、を備えることを特徴とするコードレス電話機。
【請求項２】
前記電話帳データは、個々の電話番号に対応する登録データ毎に前記ユーザにより設定された同期情報を含み、
前記送信手段は、前記作業入力の対象となった登録データのうち、前記同期情報が同期可に設定されている登録データに対応する処理データのみを、前記他の全ての端末装置へ送信することを特徴とする請求項１に記載のコードレス電話機。
【請求項３】
前記検出手段は、前記ユーザの入力に応じて、前記同期情報の設定変更が行われたことを検出する手段を有し、
前記送信手段は、設定変更後の同期情報に基づいて、前記処理データを前記他の全ての端末装置へ送信する変更処理手段を有することを特徴とする請求項２に記載のコードレス電話機。
【請求項４】
前記変更処理手段は、前記設定変更後の同期情報が同期可に設定されているときには当該同期情報に対応する登録データを前記他の全ての端末へ送信し、前記設定変更後の同期情報が同期不可に設定されているときには当該同期情報に対応する登録データを削除する旨の削除指示を前記他の全ての端末へ送信することを特徴とする請求項３に記載のコードレス電話機。
【請求項５】
前記受信手段は、前記送信元の端末装置から前記処理データを受信したときに、当該送信元の端末装置へ受領確認信号を送信し、
前記送信元の端末装置の送信手段は、
前記受領確認信号を受信しなかった前記他の端末装置をエラー端末として記憶する手段と、
前記エラー端末に対して、所定のタイミングで前記処理データを再送信する再送信手段と、を備えることを特徴とする請求項１乃至４のいずれか一項に記載のコードレス電話機。
【請求項６】
前記再送信手段は、所定時間経過毎に前記処理データを再送信することを特徴とする請求項５に記載のコードレス電話機。
【請求項７】
前記再送信手段は、前記検出手段が前記作業入力を検出したときに前記処理データを再送信することを特徴とする請求項５又は６に記載のコードレス電話機。
【請求項８】
前記電話帳データに対する作業入力は、前記電話帳データの一部又は全部の登録、削除、編集、及び、前記電話帳データの一部又は全部を他の全ての端末装置へコピーするためのコピー指示の少なくとも１つを含むことを特徴とする請求項１乃至７のいずれか一項に記載のコードレス電話機。
【発明の詳細な説明】
【技術分野】
【０００１】
本発明は、親機と子機を備えるコードレス電話機に関する。
【背景技術】
【０００２】
電話帳機能を備えたコードレス電話機が知られており（例えば特許文献１及び２を参照）、コードレス電話機では、複数の端末装置（親機及び子機）の全てに電話帳機能が搭載されているものが一般的である。よって、同一の電話帳データを全ての端末装置に登録したい場合、ユーザはそれら全ての端末装置に同一の電話帳データを登録する作業を行う必要がある。
【０００３】
また、最近の製品では、電話帳データのコピー機能を有するものが知られている。しかし、このようなコードレス電話機では、ユーザは電話帳データの登録作業とは別個に、電話帳データのコピー操作を行う必要がある。しかも、通常のコピー機能では、一度の操作でコピーできる端末数は１台に限定されているため、全ての端末装置へ電話帳データをコピーしたい場合には、端末装置の数だけ、繰り返しコピー操作を行う必要がある。
【０００４】
また、親機と子機のように、形状の異なる端末装置では、電話帳登録のためのボタン操作に差異があるため、ユーザは各々の操作を覚えるか、又は、取扱説明書を見ながら操作しなければならない。よって、複数の子機を備える場合など、端末装置の数が多いほど、電話帳データの登録や更新に手間がかかる。
【０００５】
【特許文献１】特開２００３−１３４２１６号公報
【特許文献２】特開２００２−１０１１８４号公報
【発明の開示】
【発明が解決しようとする課題】
【０００６】
本発明が解決しようとする課題には上記のようなものが例として挙げられる。本発明は、１回の簡単な操作により、全ての端末装置に電話帳データの登録、変更、削除などを行うことが可能なコードレス電話機を提供することを課題とする。
【課題を解決するための手段】
【０００７】
請求項１に記載の発明は、親機および子機を含む複数の端末装置を備えるコードレス電話機であって、前記複数の端末装置の各々は、電話帳データを記憶する記憶部と、ユーザにより電話帳データに対する作業入力が行われたことを検出する検出手段と、前記作業入力に応じて、前記記憶部に記憶されている電話帳データの処理を実行する第１の処理実行手段と、前記電話帳データの処理の内容を示す処理データを、他の全ての端末装置へ送信する送信手段と、他の端末装置から前記処理データを受信する受信手段と、前記記憶部に記憶されている電話帳データに対して、前記処理データに基づいて、前記処理データの送信元の端末装置において行われた前記電話帳データの処理と同一の処理を実行する第２の処理実行手段と、を備えることを特徴とする。
【発明を実施するための最良の形態】
【０００８】
本発明の１つの実施形態は、親機および子機を含む複数の端末装置を備えるコードレス電話機であって、前記複数の端末装置の各々は、電話帳データを記憶する記憶部と、ユーザにより電話帳データに対する作業入力が行われたことを検出する検出手段と、前記作業入力に応じて、前記記憶部に記憶されている電話帳データの処理を実行する第１の処理実行手段と、前記電話帳データの処理の内容を示す処理データを、他の全ての端末装置へ送信する送信手段と、他の端末装置から前記処理データを受信する受信手段と、前記記憶部に記憶されている電話帳データに対して、前記処理データに基づいて、前記処理データの送信元の端末装置において行われた前記電話帳データの処理と同一の処理を実行する第２の処理実行手段と、を備える。
【０００９】
上記のコードレス電話機は、例えば１台の親機と、１台又は複数の子機を含む複数の端末装置を備える。各端末装置は、電話帳データを記憶する記憶部を備える。また、ユーザが電話帳データに対する作業入力、例えば電話帳データの登録、編集、削除などを行うと、これを検出し、その作業入力に対応する処理を当該端末装置の記憶部に記憶されている電話帳データ対して実行する。これに加えて、各端末装置は、作業入力に対応する処理の内容を示す処理データを他の全ての端末装置へ送信する。
【００１０】
他の端末装置から処理データを受信した端末装置は、その処理データに基づいて、送信元の端末装置内の電話帳データに対して行われた処理と同一の処理を実行する。これにより、受信側の端末装置の電話帳データは、ユーザが作業入力を行った端末装置の電話帳データと同一の状態となる。即ち、電話帳データの同期が確保される。
【００１１】
従って、ユーザは、複数の端末装置のうちの１つに対して必要な作業入力を行えば、その内容を自動的に他の全ての端末装置に反映させることができ、コードレス電話全体として、電話帳データの統一的な管理を容易に行うことができる。また、ユーザが作業入力を行う端末装置は親機や特定の子機に限定されることはなく、いずれかの端末装置であればよいので、ユーザは自分が使い慣れた端末装置から電話帳データの登録などに関する作業入力を行えばよい。例えば、複数の子機をそれぞれ家族の構成員１人ずつが使用している場合などであれば、各人は親機を使用する必要はなく、自分が普段使い慣れている端末装置を使用すればよく、親機や複数の子機など、多くの端末装置の操作方法を覚える必要もない。よって、コードレス電話機の電話帳データの同期を容易に行うことが可能となる。
【００１２】
上記のコードレス電話機の一態様では、前記電話帳データは、個々の電話番号に対応する登録データ毎に前記ユーザにより設定された同期情報を含み、前記送信手段は、前記作業入力の対象となった登録データのうち、前記同期情報が同期可に設定されている登録データに対応する処理データのみを、前記他の全ての端末装置へ送信する。
【００１３】
この態様では、全ての端末装置において同期する登録データと同期しない登録データとをユーザが任意に設定することができる。よって、複数の使用者で共用すべき登録データについては、その同期情報を同期可にしておけば、いずれかの端末装置においてその登録データに対して編集などが行われると、その編集内容が自動的に全ての端末装置に反映される。これに対し、個々の端末装置の使用者が独自に管理したい登録データについては、同期情報を同期不可に設定しておけば、その登録データが全ての端末装置で同期されることはなく、プライベートな使用や管理が可能となる。
【００１４】
上記のコードレス電話機の好適な例では、前記検出手段は、前記ユーザの入力に応じて、前記同期情報の設定変更が行われたことを検出する手段を有し、前記送信手段は、設定変更後の同期情報に基づいて、前記処理データを前記他の全ての端末装置へ送信する変更処理手段を有する。これにより、ユーザが登録データの新規登録時に同期情報を設定した後、それを事後的に変更した場合でも、変更後の同期情報に応じて、各端末装置における同期が制御される。
【００１５】
具体的には、前記変更処理手段は、前記設定変更後の同期情報が同期可に設定されているときには当該同期情報に対応する登録データを前記他の全ての端末へ送信し、前記設定変更後の同期情報が同期不可に設定されているときには当該同期情報に対応する登録データを削除する旨の削除指示を前記他の全ての端末へ送信することができる。これにより、変更後の同期情報に応じて、各端末装置内の当該登録データの管理がなされる。
【００１６】
上記のコードレス電話機の他の一態様では、前記受信手段は、前記送信元の端末装置から前記処理データを受信したときに、当該送信元の端末装置へ受領確認信号を送信し、前記送信元の端末装置の送信手段は、前記受領確認信号を受信しなかった前記他の端末装置をエラー端末として記憶する手段と、前記エラー端末に対して、所定のタイミングで前記処理データを再送信する再送信手段と、を備える。
【００１７】
この態様では、電話帳データに対する作業入力に対応する処理データを他の端末装置へ送信したが、受領確認信号が受信できなかった場合には、その端末装置を、処理が未完了であるエラー端末装置として記憶しておく。そして、適切なタイミングで、同一の処理データを再送信して、同期の確立を徹底する。このように、処理データを再送信することにより、できる限り全ての端末装置を同期状態に維持することが可能となる。この場合、好適な例では、前記再送信手段は、所定時間経過毎に前記処理データを再送信するができ、また、前記検出手段が前記作業入力を検出したときに前記処理データを再送信することができる。
【００１８】
好適な実施例では、前記電話帳データに対する作業入力は、前記電話帳データの一部又は全部の登録、削除、編集、及び、前記電話帳データの一部又は全部を他の全ての端末装置へコピーするためのコピー指示の少なくとも１つを含む。これにより、電話帳データに対する各種の処理を、全ての端末装置において反映することが可能となる。
【実施例】
【００１９】
以下、本発明の好適な実施例を図面に基づいて説明する。
【００２０】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。
【００２１】
まず、親機１１０ａの構成について説明する。図２は、コードレス電話機１００の親機１１０ａの概略構成を示すブロック図である。
【００２２】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００２３】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００２４】
ＣＰＵ７は、回線制御回路２、通話回路３、ＤＳＰ４、及び無線送受信回路５に接続され、各回路の作動制御を行う。また、ＣＰＵ７には記憶部としてのメモリ１１５が接続されており、このメモリ１１５は後述するように電話帳データなどを記憶する。
【００２５】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２６】
次に、子機１１０ｂの構成について説明する。図３は、コードレス電話機１００の子機１１０ｂの概略構成を示すブロック図である。
【００２７】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２８】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としてのメモリ１２５が接続されており、メモリ１２５は電話帳データなどを記憶する。
【００２９】
［第１実施例］
次に、第１実施例について説明する。図４は、第１実施例による電話帳データの処理に関連する部分の概略構成を示す機能ブロック図である。図示のように、コードレス電話機は、親機１１０ａと子機１１０ｂがそれぞれのアンテナ部６、２１を介して通信可能とされている。
【００３０】
図示のように、親機１１０ａは、主制御部１１１ａと、表示部１１２ａと、操作部１１３ａと、無線部１１４ａと、記憶部１１５ａを備えて構成される。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。また、記憶部１１５ａは、ユーザが親機１１０ａまたは子機１１０ｂに登録した登録データを電話帳データとして記録する。
【００３１】
一方、子機１１０ｂは、主制御部１１１ｂと、表示部１１２ｂと、操作部１１３ｂと、無線部１１４ｂと、記憶部１１５ｂとを備え、各部の働きは親機１１０ａのものと同様である。なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。
【００３２】
図５（ａ）は、図４に示す記憶部１１５の内部構造を示すブロック図である。記憶部１１５は、電話帳メモリ１１６ａと、送信履歴メモリ１１６ｂと、受信履歴メモリ１１６ｃと、後述するエラー端末データなどを記録するその他メモリ１１６ｄを備える。
【００３３】
電話帳メモリ１１５ａに記憶された電話帳データ１３５の例を図５（ｂ）に示す。図示のように、電話帳データ１３５は複数の登録データ１３６を含む。１つの登録データ１３６は１つの電話番号に対応しており、各登録データ１３６は、相手の名前、電話番号、電子メール（E-mail）アドレスなどを含んでいる。
【００３４】
次に、第１実施例による電話帳データの登録処理について説明する。第１実施例は、コードレス電話機１００を構成する親機１１０ａ及び子機１１０ｂのいずれかを使用してユーザが電話帳データの登録、削除、編集などの作業のための入力（以下、「作業入力」と呼ぶ。）を行った場合に、その内容を他の全ての親機１１０ａ及び子機１１０ｂに反映する（これを「同期をとる」という。）ものである。具体的には、電話帳データの作業入力が親機１１０ａに対してなされた場合には、その内容は全ての子機１１０ｂに自動的に送信され、反映される。一方、電話帳データの作業入力が１つの子機１１０ｂに対してなされた場合には、その内容は親機１１０ａ及び他の全ての子機１１０ｂに自動的に送信され、反映される。
【００３５】
なお、本実施例では、ユーザによる電話帳データの作業入力は親機１１０ａのみならず、子機１１０ｂに対しても可能であるので、以下、親機１１０ａ及び子機１１０ｂを含めて「端末装置１１０」と呼ぶこととする。
【００３６】
以下、第１実施例による電話帳データの登録処理について説明する。図６は、ユーザが電話帳データの登録を行う際に使用した端末装置（以下、「送信元端末装置」とも呼ぶ。）における処理フローチャートである。図７は、送信元端末装置以外の端末装置（以下、「受信側端末装置」とも呼ぶ。）における処理フローチャートである。各フローチャートの処理は、主として各端末装置１１０内の主制御部１１１が予め用意された制御プログラムを実行することにより実現することができる。
【００３７】
図６において、まず、端末装置１１０の主制御部１１１は、ユーザによる電話帳登録が完了したか否かを判定する（ステップＳ１）。電話帳登録は、一般的には、ユーザが所定のボタン操作などを行い、端末装置１１０を電話帳登録モードとし、電話番号、名前などの必要な情報を入力することにより行われる。こうして入力された１つの電話番号に対応する１件分の情報は、前述の１つの登録データ１３６として記憶される。ユーザが電話帳登録完了などの指示を入力すると、端末装置１１０がこれを検出し、電話帳登録が完了したことを知る。
【００３８】
電話帳登録が完了したことが検出されると、端末装置１１０の主制御部１１１は、ユーザにより入力されたデータを登録データとして記憶部１１５へ記憶する（ステップＳ２）。
【００３９】
次に、主制御部１１１は、入力された登録データを他の端末装置への送信パケットにセットする（ステップＳ３）。端末装置１１０間のデータ通信は所定フォーマットのパケットの形態で行われるため、他の端末装置１１０へ送信されるべき登録データが送信パケットにセットされる。
【００４０】
次に、主制御部１１１は、送信先端末をセットする（ステップＳ４）。ユーザにより入力された登録データは他の全ての端末装置１１０へ順に送信されるので、主制御部１１１は、まず送信先端末として１つの端末装置１１０を設定する。送信先端末の設定順序は予め決定しておくことができ、ステップＳ４の処理が行われるたびに、送信先端末が順次変更されていく。
【００４１】
次に、主制御部１１１は登録データを含むパケットを送信し（ステップＳ５）、送信先端末からの受領確認信号（ＡＣＫ信号）を受信したか否かを判定する（ステップＳ６）。受領確認信号を受信しない場合、主制御部１１１は当該送信先端末をエラー端末として一時的に記録する（ステップＳ７）。このエラー端末の情報は例えば図５（ａ）に示すその他メモリ１１６ｄなどに記憶することができる。なお、主制御部１１１は、エラー端末の情報として当該端末装置の識別情報を記憶するとともに、後述する再送信処理のために、エラーが発生した際に送信した登録データ又は送信パケットのデータを保存する。一方、受領確認信号を受信した場合には、処理はそのままステップＳ８へ進む。
【００４２】
次に、主制御部１１１は、全ての端末装置１１０に対して、当該登録データを含むパケットを送信したか否かを判定し（ステップＳ８）、未送信の端末装置１１０がある場合には（ステップＳ８；No）、処理はステップＳ４へ戻る。ステップＳ４では、送信先端末として次の端末装置１１０をセットし、ステップＳ５〜Ｓ８の処理を繰り返す。
【００４３】
こうして、ユーザが電話帳登録を行った端末装置１１０、即ち送信元端末装置１１０以外の全ての端末装置１１０に対して、パケットが送信されたことを主制御部１１１が確認すると（ステップＳ８；Yes）、主制御部１１１はエラー端末への再送信処理を行い（ステップＳ９）、処理を終了する。なお、再送信処理については後述する。
【００４４】
次に、受信側の端末装置１１０における処理について説明する。図７に受信側の端末装置１１０における処理フローチャートを示す。受信側の端末装置１１０においては、無線部１１４が前述のパケットを受信したか否かを主制御部１１１が判定する（ステップＳ１１）。パケットを受信した場合、主制御部１１１はそのパケットから登録データを抽出し、当該登録データを記憶部１１５内に電話帳データとして記憶する（ステップＳ１２）。
【００４５】
なお、上記の例は、電話帳データに対する作業入力の一例として、ユーザが電話帳データを新規登録する場合のものであるので、送信元端末から受信側端末へ送られる、作業入力に対応する処理データは登録データそのものであった。同様に、既に記憶部１１５に記憶されている登録データの編集（内容の変更）又は削除を行うこともできる。例えば、ユーザが、ある１つの端末装置を利用して特定の登録データのメールアドレスを変更した場合には、作業入力に対応する処理データとして、その変更を示す情報及び変更指示などが他の全ての端末装置に送信され、メールアドレスの変更がなされる。また、ユーザが特定の登録データを削除した場合には、作業入力に対応する処理データとして、当該登録データの削除指示が他の全ての端末装置に送信され、当該登録データが削除される。
【００４６】
以上のように、本実施例では、親機又は子機のいずれかに対してユーザが電話帳データの作業入力を行うと、その内容が自動的に他の全ての端末へ送信され、送信先端末の電話帳データに対して同様の処理が行われる。例えば、ユーザが親機を使用して電話帳データに新規登録を行うと、その内容が他の全ての端末装置へ自動的に送信され、記憶される。また、同様に、ユーザがある子機を使用して既に登録済みの登録データの削除や編集を行うと、その内容が親機及び他の全ての子機に記憶された電話帳データにも反映される。
【００４７】
従って、ユーザは、同一の作業入力を親機及び全ての子機に対して個別に行う必要や、親機に対して行った作業入力をコピー機能などにより全ての子機へ順に送信する必要なしに、全ての端末装置の電話帳データの内容を一致させることができる。つまり、ユーザが親機又はいずれかの子機に対して必要な作業入力を行うだけで、親機及び全ての子機に記憶された電話帳データの同期が確保される。また、ユーザは、全ての端末装置の操作方法を覚えなくても、１つの端末装置の操作方法さえ覚えれば、全ての端末装置に記憶されている電話帳データの登録、編集、削除などを行うことができる。
【００４８】
なお、上記の例では、コードレス電話機を構成する全ての端末装置が同様に電話帳登録機能を備えるものであったが、１つの端末装置のみに電話帳登録機能を設けることとし、他の端末装置から電話帳登録機能を削除し、その分のプログラム記憶容量を節約することもできる。
【００４９】
次に、エラー端末への再送信処理について説明する。エラー端末への再送信処理とは、主制御部１１１が、その時点でエラー端末として記録されている端末装置１１０に対して、再度パケットの送信を行うことをいう。前述のように、過去の処理において受領確認信号を受信できなかった端末装置がエラー端末として一時的に記録されているので、主制御部１１１は、エラー端末へ、そのとき、即ち過去のエラーが発生した時点に送信したパケットを再度送信する。そして、受領確認信号が得られれば、そのエラー端末の記録を削除する。一方、再送信処理によっても受領確認信号が得られなかった場合は、エラー端末としての記録を維持し、また次回のタイミングで再送信を行う。なお、再送信処理を実現するためには、各端末装置１１０は、エラー端末の識別情報に加え、そのときに送信したパケット自体又はそのパケットに含まれる処理データ（登録データ、登録データの編集指示、登録データの削除指示など）を記憶しておく必要がある。
【００５０】
図６に示すステップＳ９は、電話帳データに対するユーザの作業入力が行われるたびに上記の再送信処理を行うものである。なお、ステップＳ９のように、電話帳データに対するユーザの作業入力時に再送信処理を行うことに代えて、又は、それに加えて、所定時間経過毎に主制御部１１１が再送信処理を実行することが好ましい。これにより、ユーザによる作業入力が比較的長期間行われない場合でも、定期的に再送信処理を行って、できる限り全ての端末装置が同一の電話帳データに同期された状態を確立及び維持することが可能となる。
【００５１】
［第２実施例］
次に、本発明の第２実施例について説明する。第１実施例では、電話帳データに含まれる全ての登録データを他の全ての端末装置に記憶された電話帳データと同期させている。これに対し、第２実施例では、登録データ毎に同期の可否をユーザが設定できるようにし、同期可と設定された登録データのみを同期させることとした。
【００５２】
図８に、第２実施例による電話帳データの例を示す。本実施例の電話帳データでは、図示のように、各登録データに対して同期情報が設定される。同期情報は、当該登録データを親機１１０ａ及び全ての子機１１０ｂにて登録する（即ち、同期をとる）か否かを示す情報であり、ユーザにより登録データ１３６毎に設定される。同期情報は、「同期可」と「同期不可」のいずれかに設定される。同期情報が「同期可」に設定されている場合、その登録データ１３６の登録、削除、編集などの処理は親機１１０ａ及び子機１１０ｂを含む全ての端末装置で同様に行われる。一方、同期情報が「同期不可」に設定されている場合、その登録データ１３６の登録、削除、編集などの処理は、ユーザがそのための入力を行った親機１１０ａ又は子機１１０ｂのみにおいて実行され、他の端末装置には反映されない。なお、同期情報は、当該登録データ１３６が最初に登録されるときにユーザにより設定されるが、その後ユーザが任意に変更することができる。
【００５３】
このように、登録データ毎に同期の可否を設定することにより、各端末装置に記憶されている電話帳データを部分的に異ならせることが可能となる。例えば、複数の子機を家族の１人ずつが使用する場合などに、家族全員に関係する登録データは同期可に設定し、各人のみが使用する登録データは同期不可に設定しておくことができる。こうすると、必要なデータは全員で共有しつつ、個々の使用者は自分が主として使用する端末装置の電話帳データをカスタマイズすることができる。
【００５４】
第２実施例における送信元端末装置の処理は、図６に示す第１実施例のものと基本的に同様である。但し、第１実施例においては、図６のステップＳ１においてユーザが電話帳登録した登録データ全てをステップＳ２において送信パケットにセットし、他の全ての端末装置へ送信している。これに対し、第２実施例では、ステップＳ２に対応する処理において、同期情報が同期可に設定されている登録データのみを抽出して、他の全ての端末装置への送信パケットにセットする。
【００５５】
第２実施例において、図６のステップＳ２の代わりに実行される処理を図９に示す。図６のステップＳ１でユーザが電話帳登録を行うと、図９に示すように主制御部１１１はユーザが入力した登録データが同期可に設定されているか否かを判定する（ステップＳ２１）。そして、主制御部１１１は、同期可に設定されている場合には、その登録データを送信パケットにセットし（ステップＳ２２）、同期不可に設定されている場合にはその登録データを送信パケットにセットしない。
【００５６】
次に、主制御部１１１は、ステップＳ１で入力された全ての登録データについて、ステップＳ２１の判定が終了したか否かを判定する（ステップＳ２３）。こうして、ステップＳ１で入力の対象となった全ての登録データのうち、同期可に設定されているもののみが送信パケットにセットされる。そして、処理は図６に示すメインルーチンへ戻り、ステップＳ３以下が実行される。こうして、同期可に設定されている登録データのみが他の全ての端末装置へ送信される。なお、受信側の端末装置における処理は、図７に示す第１実施例における処理と同様である。
【００５７】
次に、同期情報編集処理について説明する。第２実施例では、ユーザが、各登録データについて新規登録時に同期情報を設定した後、これを任意に変更することが可能である。同期情報を変更する場合の処理を図１０及び図１１を参照して説明する。図１０は、同期情報編集処理のうち送信元端末にて行われる処理のフローチャートである。なお、この場合、送信元端末とは、ユーザが同期情報の編集を行う際に使用する端末を指す。
【００５８】
図１０において、ユーザが同期情報を編集すると（ステップＳ３１）、当該端末装置１１０の主制御部１１１は編集が完了したか否かを判定する（ステップＳ３２）。編集が完了すると、主制御部１１は、その編集が同期不可から同期可に変更するものであるか否かを判定する（ステップＳ２３）。同期不可から同期可に変更する編集であった場合、主制御部１１１は当該登録データを含む登録指示を他の全ての端末へ送信する（ステップＳ２４）。一方、同期可から同期不可に変更する編集であった場合（ステップＳ２３；No）、主制御部１１１は他の全ての端末装置へ、当該登録データの削除指示を送信する（ステップＳ２５）。こうして、送信元端末における処理は終了する。
【００５９】
次に、受信側端末における処理を図１１（ａ）及び（ｂ）に示す。図１１（ａ）に、ステップＳ２４において送信される登録指示を受信側端末装置１１０が受信した場合の処理を示す。送信元端末装置１１０から登録指示を受信すると（ステップＳ４１）、受信側端末装置１１０の主制御部１１１は、当該登録指示に含まれる登録データが当該端末装置の電話帳データに既に含まれているか否かを判定する（ステップＳ４２）。主制御部１１１は、含まれている場合には当該登録データを更新し（ステップＳ４３）、含まれていない場合には当該登録データを新たに記憶する（ステップＳ３４）。
【００６０】
図１１（ｂ）に、ステップＳ２５における削除指示を受信側端末装置１１０が受信した場合の処理を示す。送信元端末装置１１０から削除指示を受信すると、受信側端末装置１１０の主制御部１１１は、削除の対象となる登録データが既に当該端末装置に記憶されているか否かを判定する（ステップＳ４６）。そして、主制御部１１１は、記憶されている場合にはその登録データを電話帳データから削除し（ステップＳ４７）、記憶されていない場合にはそのまま処理を終了する。
【００６１】
以上のように、ユーザが同期情報を事後的に変更したときには、その変更内容に応じて、他の全ての端末装置に対して変更を行うことにより、全ての端末装置に記憶された電話帳データの同期状態を確保することができる。
【００６２】
次に、第２実施例におけるコピー処理について説明する。本発明のコードレス電話機１００においては、１つの端末装置から他の特定の端末装置又は他の全ての端末装置へ、電話帳データに含まれる全ての登録データをコピーする一括コピー機能を搭載することが可能である。第２実施例によれば、コピー機能を利用した一括コピー処理は同期情報を参照して行われることとなる。図１２に第２実施例におけるコピー処理のフローチャートを示す。
【００６３】
図１２において、ユーザが１つの端末装置１１０を操作して一括コピーの指示を入力すると、当該端末装置１１０の主制御部１１１は、当該端末装置１１０内に記憶されている電話帳データに含まれる登録データを読み出し（ステップＳ５１）、当該登録データの同期情報が同期可に設定されているか否かを判定する（ステップＳ５２）。同期可に設定されている場合、主制御部１１１はその登録データを、送信先端末として指定された端末装置１１０へ送信する（ステップＳ５３）。
【００６４】
そして、主制御部１１１は、電話帳データに含まれる全ての登録データについて処理が完了したか否かを判定する（ステップＳ５４）。こうして、当該端末装置に記憶されている電話帳データに含まれる全ての登録データのうち、同期可に設定されているもののみが、指定された送信先の端末装置へ送信される。送信先の端末装置では、その登録データを電話帳データに記憶する。こうして、一括コピー処理が実行される。このように、第２実施例によれば、一括コピー処理においても、同期可に設定された登録データのみがコピーされ、全ての端末装置において同期された状態となる。
【００６５】
なお、図１２のフローチャートでは、同期可に設定されている登録データをステップＳ５３において１つずつ送信しているが、送信すべき登録データを収集し、送信先端末装置へ一度に送信することとしても構わない。また、図１２の例では、ユーザが使用している端末装置に記憶された全ての電話帳データを一括コピーしているが、ユーザが選択した１つ又は複数の登録データを、ユーザが指定した特定の端末装置又は他の全ての端末装置へコピーすることとしても構わない。
【図面の簡単な説明】
【００６６】
【図１】本発明の実施例に係るコードレス電話機の全体構成を模式的に示す。
【図２】親機の概略構成を示すブロック図である。
【図３】子機の概略構成を示すブロック図である。
【図４】本発明による電話帳データの処理に関連する構成要素を示すブロック図である。
【図５】電話帳データを記憶する記憶部の構成例、及び、電話帳データの例を示す。
【図６】第１実施例による電話帳登録処理の送信元端末側のフローチャートである。
【図７】第１実施例による電話帳登録処理の受信側端末側のフローチャートである。
【図８】第２実施例による電話帳データの例を示す。
【図９】第２実施例による電話帳登録処理の一部のフローチャートである。
【図１０】第２実施例による同期情報編集処理の送信元端末側のフローチャートである。
【図１１】第２実施例による同期情報編集処理の受信側端末側のフローチャートである。
【図１２】第２実施例による電話帳データのコピー処理のフローチャートである。
【符号の説明】
【００６７】
６、２１  アンテナ
１００  コードレス電話機
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１５ａ、１１５ｂ  記憶部
１１６ａ  電話帳メモリ
１３５  電話帳データ
１３６  登録データ
【図１】
2005303502.tif 000003
【図２】
2005303502.tif 000004
【図３】
2005303502.tif 000005
【図４】
2005303502.tif 000006
【図５】
2005303502.tif 000007
【図６】
2005303502.tif 000008
【図７】
2005303502.tif 000009
【図８】
2005303502.tif 000010
【図９】
2005303502.tif 000011
【図１０】
2005303502.tif 000012
【図１１】
2005303502.tif 000013
【図１２】
2005303502.tif 000014